(57)【特許請求の範囲】
【請求項１】
上方付勢状態で下方移動自在に配設されたステムと、
前記ステムの上端に装着され、内容物の吐出孔が形成された吐出ヘッドと、
前記ステムに連動する筒状のピストンと、
前記ピストンが上下摺動自在に収容されたシリンダと、
前記ステムから下方に向けて延設され、前記ピストンの内側を上下方向に貫く有底筒状のピストンガイドと、
を備え、
前記ステム及び前記ピストンガイドを前記シリンダに対して下方移動させたときに、前記シリンダ内の前記内容物が前記ピストンガイド内及び前記ステム内を通して前記吐出孔から吐出される吐出器であって、
前記ピストンガイドの下端部には、その内側と前記シリンダ内とを連通させる連通孔が形成されており、
前記ピストンガイドのうち前記連通孔よりも上方には、貫通孔が形成されていることを特徴とする吐出器。
【請求項２】
前記連通孔が、前記ピストンガイドの中心軸線を前記中心軸線に直交する径方向で挟む両側に各別に形成され、
前記ピストンガイドの上部には、前記中心軸線を前記径方向で挟む両側に前記貫通孔が各別に形成されていることを特徴とする請求項１に記載の吐出器。
【請求項３】
前記ピストンガイドのうち前記連通孔よりも上方には、前記中心軸線に沿う異なる位置で、前記ピストンガイドの中心軸線を前記中心軸線に直交する径方向で挟む両側に前記貫通孔が各別に形成されており、
前記貫通孔のうち上方に位置する一方と前記連通孔とが、前記中心軸線回りを周回する周方向で同じ位置に形成されていることを特徴とする請求項１に記載の吐出器。
【発明の詳細な説明】
【技術分野】
【０００１】
本発明は、吐出器に関するものである。
【背景技術】
【０００２】
この種の吐出器としては、上方付勢状態で下方移動自在に配設されたステムと、ステムの上端に装着され、内容物の吐出孔が形成された吐出ヘッドと、ステムに連動する筒状のピストンと、ピストンが上下摺動自在に収容されたシリンダと、ステムから下方に向けて延設され、ピストンの内側を上下方向に貫く有底筒状のピストンガイドと、を備え、ステム及びピストンガイドをシリンダに対して下方移動させたときに、シリンダ内の内容物がステム内を通して吐出孔から吐出されるものが提案されている（例えば、特許文献１参照）。
このような吐出器では、吐出器を初めて使用する際にはシリンダ内やステム内に内容物が充填されていないため、ステムを数回押し下げてシリンダ内やステム内に内容物を充填させた後に、内容物を吐出孔から吐出している。
【先行技術文献】
【特許文献】
【０００３】
【特許文献１】特開２００８−０３０７９８号公報
【発明の概要】
【発明が解決しようとする課題】
【０００４】
しかしながら、このような吐出器のピストンガイドは、上下方向に延在しかつ上方に向けて開口する空洞が形成された有頂筒状をなしている。そのため、吐出器を使用するためにステムを数回押し下げても、ピストンガイド内に空気溜りが発生することにより、内容物の吐出にばらつきが生じることがある。
【０００５】
本発明は、前述の課題に鑑みてなされたもので、内容物の吐出を安定させた吐出器を提供することを目的とする。
【課題を解決するための手段】
【０００６】
本発明は、上記のような課題を解決するために以下のような手段を採用した。すなわち、本発明の吐出器は、上方付勢状態で下方移動自在に配設されたステムと、前記ステムの上端に装着され、内容物の吐出孔が形成された吐出ヘッドと、前記ステムに連動する筒状のピストンと、前記ピストンが上下摺動自在に収容されたシリンダと、前記ステムから下方に向けて延設され、前記ピストンの内側を上下方向に貫く有底筒状のピストンガイドと、を備え、前記ステム及び前記ピストンガイドを前記シリンダに対して下方移動させたときに、前記シリンダ内の前記内容物が前記ピストンガイド内及び前記ステム内を通して前記吐出孔から吐出される吐出器であって、前記ピストンガイドの下端部には、その内側と前記シリンダ内とを連通させる連通孔が形成されており、前記ピストンガイドのうち前記連通孔よりも上方には、貫通孔が形成されていることを特徴とする。
【０００７】
この発明では、吐出器を初めて使用する際にステムを押し下げると、シリンダ内の内容物は、ピストンガイドの下部に形成された連通孔を通してピストンガイド内に流入し、その後、ステム内に流入する。そのため、ピストンガイド内に存在する空気を吐出孔から外部へ効率的に排出できる。これにより、ピストンガイド内及びステム内に内容物を早期に充填することができると共に、ピストンガイド内に空気溜りが生じることを抑制でき、内容物の吐出を安定させることができる。
【０００８】
また、本発明の吐出器では、前記連通孔が、前記ピストンガイドの中心軸線を前記中心軸線に直交する径方向で挟む両側に各別に形成され、前記ピストンガイドの上部には、前記中心軸線を前記径方向で挟む両側に前記貫通孔が各別に形成されてもよい。
この場合では、ピストンガイドを射出成形によって形成する際に、ピストンガイドの内周面を形成する金型の中子の下側を一対の連通孔を形成する一対の第１ピンによって径方向で挟み込み、かつ、上記中子の上側を一対の貫通孔を形成する一対の第２ピンにより径方向で挟み込んだ状態で、上記中子をピストンガイドから引き抜くことが可能となる。そのため、金型の脱型時に、上記中子がピストンガイドに対してぐらついてピストンガイドを変形させることを防止でき、ピストンガイドを精度よく形成できる。
また、ピストンガイドの外周面とピストンの内周面との間に間隙が形成され、上記間隙の上端と貫通孔とが連通し、上記間隙の下端とシリンダ内とが連通する場合には、吐出器を初めて使用する際にステムを押し下げたときに、シリンダ内の内容物を上記間隙内にその下端から上方に向けて流入させ、貫通孔を通してピストンガイド内に流入させることができる。そのため、上記間隙内の空気が効率的に吐出孔から外部に排出され、上記間隙内に内容物を早期に充填することができると共に、上記間隙に空気溜りが生じることを抑制でき、吐出を確実に安定させる。
【０００９】
また、本発明の吐出器では、前記ピストンガイドのうち前記連通孔よりも上方には、前記中心軸線に沿う異なる位置で、前記ピストンガイドの中心軸線を前記中心軸線に直交する径方向で挟む両側に前記貫通孔が各別に形成されており、前記貫通孔のうち上方に位置する一方と前記連通孔とが、前記中心軸線回りを周回する周方向で同じ位置に形成されてもよい。
この場合でも、ピストンガイドを射出成形によって形成する際に、ピストンガイドの内周面を形成する金型の中子の下側を連通孔を形成する第１ピンによって径方向で支え、上記中子の上下方向の中間部分を貫通孔のうち下方に位置する他方を形成する第２ピンにより径方向で支え、かつ上記中子の上側を貫通孔のうち上方に位置する一方を形成する第３ピンにより径方向で支え、さらに、第１ピンと第３ピンとが周方向で同じ位置にあり、第２ピンが上面視で第１及び第３ピンとは径方向で中心軸を挟んで反対側にある状態で、上記中子をピストンガイドから引き抜くことが可能となる。そのため、金型の脱型時に、上記中子がピストンガイドに対してぐらついてピストンガイドを変形させることを防止でき、ピストンガイドを精度よく形成できる。
また、上述と同様に、上記間隙内の空気が効率的に吐出孔から外部に排出され、上記間隙内に内容物を早期に充填することができると共に、上記間隙に空気溜りが生じることを抑制でき、吐出を確実に安定させる。
【発明の効果】
【００１０】
この発明にかかる吐出器によれば、ピストンガイド内及びステム内に内容物を早期に充填して空気溜りの発生を抑制できる。そのため、内容物の吐出量のばらつきを抑制でき、さらに、ステム内に空気が残存しにくいので、ステム内に残存する空気が内容物の吐出時に圧縮されかつ吐出後に膨張されることによって、ステム内の内容物を吐出孔から排出させる（液垂れさせる）ことを抑制できる。したがって、内容物の吐出を安定させることができる。
【図面の簡単な説明】
【００１１】
【図１】本発明の一実施形態にかかる吐出器を示す軸方向断面図である。
【図２】図１の吐出器を示す部分拡大図である。
【図３】図１のステムの下端部を示す部分拡大斜視図である。
【図４】図１の吐出器の吐出状態を示す軸方向断面図である。
【図５】図４の吐出器を示す部分拡大図である。
【図６】本発明を適用可能な他の吐出器を示す軸方向断面図の部分拡大図である。
【発明を実施するための形態】
【００１２】
以下、本発明による吐出器の一実施形態を、図面に基づいて説明する。なお、以下の説明に用いる各図面では、各部材を認識可能な大きさとするために縮尺を適宜変更している。
【００１３】
本実施形態にかかる吐出器１は、図１に示すように、容器本体２の口部３に取り付けられる有頂円筒状の取付キャップ１１と、上方付勢状態で下方移動自在に配設された円筒状のステム１２と、ステム１２の上端部に装着され、内容物の吐出孔１３Ａが形成された吐出ヘッド１３と、ステム１２が押し下げられることによって作動されるポンプ１４と、ステム１２を外側から囲む円筒状のガイド筒１５と、吐出ヘッド１３を押し下げるためのトリガー１６と、を備える。
【００１４】
ここで、取付キャップ１１、ステム１２及びガイド筒１５は、それぞれの中心軸線が共通軸上に位置する状態で配設されている。以下、この共通軸を中心軸Ｏと称し、図１において中心軸Ｏに沿ってポンプ１４からステム１２に向かう方向を上方、その逆方向を下方とする。また、中心軸Ｏから見た平面視で中心軸Ｏに直交する方向を径方向、中心軸Ｏ回りで周回する方向を周方向とする。さらに、径方向のうち吐出ヘッド１３の吐出孔１３Ａが向けられる方向を前方、その逆方向を後方とし、上下方向及び前後方向に直交する方向を左右方向とする。
【００１５】
取付キャップ１１は、中央に開口部が形成された平面視で円状の天壁部２１と、天壁部２１の外周縁から下方に向けて延設された円筒状の周壁部２２と、を有する。天壁部２１及び周壁部２２は、中心軸Ｏと同軸に配設されている。
周壁部２２の内周面には、容器本体２の口部３の外周面に形成された雄ネジに螺着する雌ネジが形成されている。
【００１６】
ステム１２は、ガイド筒１５の内側に上下移動自在に挿通されており、ステム１２の上部は、ガイド筒１５よりも上方に向けて突出していると共に、ステム１２の下部は、ガイド筒１５よりも下方に向けて突出している。ステム１２の下端部の内径及び外径は、ステム１２の上端部及び上下方向中間部の内径及び外径よりも大きく、ステム１２の上下方向中間部から下端部への移行部分１２Ａにおいて、ステム１２の内径及び外径は、下方に向かうにしたがって漸次拡径している。また、ステム１２の上下方向中央部の内周面には、径方向内側に向けて突出する係合突部１２Ｂが全周にわたって形成されている。
【００１７】
さらに、ステム１２の下端には、図１から図３に示すように、径方向外側に向けて突出するガイド突出部１２Ｃが全周にわたって形成されている。ガイド突出部１２Ｃの外周縁からは、円筒状の弾性部材２５が下方に向けて延設されている。
弾性部材２５には、図３に示すように、上下方向に延在する弾性部材切欠部２５Ａが周方向に間隔をあけて複数形成されている。また、弾性部材２５の下端開口縁は、図１及び図２に示すように、径方向外側から内側に向かうにしたがって下方を向くように傾斜している。
【００１８】
吐出ヘッド１３は、図１に示すように、ステム１２の上端部に装着された有頂円筒状の装着筒部３１と、装着筒部３１の前面から前方に向けて突設された筒状のノズル筒部３２と、を有する。
装着筒部３１の上端部には、円柱状の被押下突部３３が左右方向の両方向に各別に突設されている。
ノズル筒部３２内には、前後方向に延在する芯棒体３５と、芯棒体３５の前端部に被着された有頂円筒状のチップ３６と、が配設されている。
芯棒体３５の外周面には、ノズル筒部３２の内周面との間で内容物の流動を可能とする複数の流路溝部３５Ａが前後方向にわたって形成されている。
【００１９】
チップ３６は、芯棒体３５と同軸上に配設されており、芯棒体３５の外周面に設けられた円筒状のチップ筒部３７と、チップ筒部３７の先端部に設けられた端壁部３８と、を有する。
チップ筒部３７は、ノズル筒部３２内に嵌合されており、端壁部３８は、芯棒体３５の先端面に当接している。端壁部３８のうち芯棒体３５の先端面に当接する後面には、芯棒体３５の流路溝部３５Ａに連通するスピン流路３８Ａが形成されている。また、端壁部３８の中央部分には、スピン流路３８Ａに連通する吐出孔１３Ａが形成されている。
【００２０】
ポンプ１４は、容器本体２内に収容されている内容物を吐出ヘッド１３に供給するためのものであり、取付キャップ１１の内側に装着されている。ポンプ１４の概略構成としては、図１及び図２に示すように、ステム１２に連動された二重円筒状のピストン４１と、ピストン４１が上下摺動自在に収容された円筒状のシリンダ４２と、ステム１２から下方に向けて延設され、ピストン４１の内側を上下方向に貫く有底円筒状のピストンガイド４３と、シリンダ４２内に配設された球状の弁体４４と、を有する。
【００２１】
ピストン４１は、円筒状の摺動部５１と、摺動部５１よりも径方向内側に配設された円筒状の閉塞部５２と、摺動部５１の上端及び閉塞部５２の上下方向中間部を連結する平面視で円環状の環状連結部５３と、を有する。これら摺動部５１、閉塞部５２及び環状連結部５３は、中心軸Ｏと同軸に配設されている。
摺動部５１の下端部は、上方から下方に向かうにしたがって漸次径方向外側に向けて反るように湾曲しており、摺動部５１の下端は、シリンダ４２の内周面に摺接している。
閉塞部５２の下端部は、上方から下方に向かうにしたがって漸次径方向内側に向けて反るように湾曲しており、ピストンガイド４３の後述する底部４３Ａ近傍に形成された当接部４３Ｅに当接している。また、閉塞部５２の上端部は、下方から上方に向かうにしたがって漸次径方向外側に向けて反るように湾曲しており、ステム１２の下端部の内周面に摺接している。
環状連結部５３の上面は、径方向外側から内側に向かうにしたがって漸次下方に向かうように傾斜し、弾性部材２５の下端開口縁を受ける受け面５３Ａとなっている。
【００２２】
シリンダ４２は、平面視で円環状の頂壁部６１と、頂壁部６１から上方に向けて延設された円筒状の立上筒部６２と、頂壁部６１の開口縁部から下方に向けて延設された円筒状の上筒部６３と、上筒部６３の下端から下方に向けて延設された円筒状の中筒部６４と、中筒部６４の下端から下方に向けて延設された円筒状の下筒部６５と、を有する。これら頂壁部６１、立上筒部６２、中筒部６４及び下筒部６５は、中心軸Ｏと同軸に配設されている。
【００２３】
頂壁部６１の外周縁部は、取付キャップ１１の天壁部２１と容器本体２の口部３の上端開口縁とにより上下方向で挟まれている。また、頂壁部６１の外周縁部と口部３の上端開口縁との間には、第１パッキン６６が介在されている。
立上筒部６２は、天壁部２１の開口部を通って上方に向けて立設されている。
上筒部６３の上端部には、上筒部６３の内外を連通させる空気孔６３Ａが形成されている。空気孔６３Ａは、環状連結部５３の外周面によって閉塞されている。また、上筒部６３の内周面には、ステム１２のガイド突出部１２Ｃが当接または近接している。
【００２４】
中筒部６４は、上筒部６３の開口縁から下方に向けて延在し、内径及び外径が上下方向で一定とされている直筒部６７と、直筒部６７の下端から下方に向けて延在し、内径及び外径が上方から下方に向かうにしたがって縮径するテーパ筒部６８と、を有する。
直筒部６７の内周面には、上下方向に延在し、径方向内側に向けて突出する複数の縦リブ部６７Ａが周方向に間隔をあけて配設されている。また、直筒部６７内には、ピストンガイド４３の後述する底部４３Ａが進入可能となっている。
テーパ筒部６８の内側には、弁体４４がテーパ筒部６８のテーパ面に離着自在に配設されている。また、テーパ筒部６８の内周面には、径方向外側から内側に向かうにしたがって上方に向けて傾斜する規制突部６８Ａが突設されている。規制突部６８Ａの上端の内径は、弁体４４よりも小さくなっている。また、規制突部６８Ａには、周方向の延在を中断する間隙が形成されている。
下筒部６５の内側には、容器本体２内の内容物が流動するチューブ６９が嵌め込まれている。
【００２５】
ピストンガイド４３のうちの底部４３Ａは、この底部４３Ａより上方に位置する周筒部に対して下方及び径方向外側の双方に向けて膨出する半球状に形成されており、直筒部６７の内周面に進入可能となっている。また、ピストンガイド４３のうち上記周筒部の下端部には、外径が底部４３Ａの上面から上方に向かうにしたがって漸次縮径する当接部４３Ｅが形成されている。
ピストンガイド４３の下端部には、ピストンガイド４３内とシリンダ４２内とを連通させる一対の連通孔４３Ｂが形成されている。連通孔４３Ｂは、中心軸Ｏを径方向で挟む両側に形成されている。連通孔４３Ｂは、閉塞部５２の下端よりも上方に位置しており、シリンダ４２の上筒部６３の内側との連通が遮断されている。
同様に、ピストンガイド４３の上端部には、ピストンガイド４３内とシリンダ４２内とを連通させる一対の貫通孔４３Ｃが形成されている。貫通孔４３Ｃは、連通孔４３Ｂと同様に、中心軸Ｏを径方向で挟む両側に形成されている。貫通孔４３Ｃは、上下方向でステム１２の移行部分１２Ａに位置する。
また、ピストンガイド４３のうち貫通孔４３Ｃよりも上側に位置する部分は、ステム１２の係合突部１２Ｂが係合する係合溝部４３Ｄが全周にわたって形成されている。これにより、ピストンガイド４３は、ステム１２と共に一体として上下移動する。
【００２６】
ガイド筒１５は、円筒状の外筒部７１と、外筒部７１よりも径方向内側に配設された円筒状の中間筒部７２と、中間筒部７２よりも径方向内側に配設された円筒状の内筒部７３と、トリガー１６を支持するトリガー支持部７４と、を有する。これら外筒部７１、中間筒部７２及び内筒部７３は、中心軸Ｏと同軸に配設されている。
【００２７】
外筒部７１は、立上筒部６２に外嵌されている。
中間筒部７２の上下方向中間部は、外筒部７１の上端に連設されており、中間筒部７２の上側部分は、外筒部７１よりも上方に突出している。また、中間筒部７２の上端部の前側部分には、トリガー１６の揺動を阻害しないように、ガイド切欠部７２Ａが形成されている。
内筒部７３の下端は、中間筒部７２の下端に連設されている。内筒部７３の上端と吐出ヘッド１３のノズル筒部３２との間には、ステム１２及び吐出ヘッド１３を上方に向けて付勢するコイルバネ７５が配設されている。また、内筒部７３の外周面には、上下方向に延在し、中間筒部７２の内周面に接続される複数の接続リブ部７３Ａが周方向に間隔をあけて形成されている。さらに、内筒部７３の下端と頂壁部６１との間には、第２パッキン７６が介在されている。
【００２８】
トリガー支持部７４は、中間筒部７２の上側部分及び外筒部７１から後方に向けて突設されており、左右方向で間隔をあけて配設された一対の側壁部７７と、側壁部７７の後端に形成された後壁部７８と、を有する。
側壁部７７は、後側部分が前側部分に対して上方に立ち上がっており、この後側部分の外側面には、左右方向外側に向けて延在する円柱状の揺動軸７７Ａが突設されている。
【００２９】
トリガー１６は、揺動軸７７Ａを介してトリガー支持部７４に取り付けられており、この揺動軸７７Ａ回りに揺動可能に設けられている。
トリガー１６は、天板部８１と、天板部８１の後端縁から後方に向けて斜め下方に延在する後板部８２と、天板部８１の前端縁から前方に向けて斜め下方に延在する前板部８３と、天板部８１の左右両側の側端縁から各別に垂下された一対の側板部８４と、を有する。
【００３０】
前板部８３の上側部分には、上下方向に延在する長孔部８３Ａが形成されており、この長孔部８３Ａには、吐出ヘッド１３のノズル筒部３２が挿通されている。また、前板部８３の下側部分は、指などをかけるための指掛部分となっている。
側板部８４の内側面には、吐出ヘッド１３を押し下げるための押下部８５が設けられている。押下部８５は、装着筒部３１を左右両側から挟む一対の板状部材であり、押下部８５の下端には、被押下突部３３がその軸線回りに摺動可能に嵌め込まれた円弧状の押下切欠部８５Ａが形成されている。また、側板部８４の後部には、揺動軸７７Ａが周方向に摺動可能に挿通された軸孔部８４Ａが形成されている。
なお、側板部８４とトリガー支持部７４の側壁部７７の前側部分の上端縁との間には、トリガー１６の不要な作動を防止するストッパ８６が配設されている。
【００３１】
次に、以上のような構成の吐出器１の使用方法について説明する。
まず、吐出器１を初めて使用する際の使用方法について説明する。上述のように、吐出器１を初めて使用する際には、シリンダ４２の上筒部６３内やステム１２内、ピストンガイド４３内には、内容物が充填されていない。そこで、これらシリンダ４２の上筒部６３内、ステム１２内及びピストンガイド４３内に内容物を充填させる必要がある。
そのために、ストッパ８６を取り外したのち、トリガー１６の前板部８３の上記指掛部分に指などを掛け、トリガー１６を後方に牽引し揺動させる。トリガー１６の揺動に伴って、押下部８５は、ノズル筒部３２の被押下突部３３を下方に押圧し、ステム１２を押し下げる。ここで、ステム１２には、ピストンガイド４３が取り付けられており、ステム１２に設けられた弾性部材２５は、ピストン４１に当接している。これにより、ステム１２、ピストンガイド４３及びピストン４１は、一体となってシリンダ４２に対して下降する。そのため、ピストン４１の閉塞部５２がピストンガイド４３の連通孔４３Ｂを閉塞させたままの状態で、シリンダ４２の上筒部６３内が加圧される。
【００３２】
シリンダ４２の上筒部６３の内圧が所定の圧力まで上昇した状態でステム１２及びピストンガイド４３をさらに押し下げると、上筒部６３の上昇した内圧に起因して、ピストン４１の下方移動が抑止される。これにより、弾性部材２５は、その自由端部がピストン４１の受け面５３Ａに沿って径方向内側に向けて反るように摺動しつつ、弾性部材２５の上下方向での長さが短くなるように収縮変形され、ステム１２及びピストンガイド４３は、ピストン４１に対して下方移動し始める。また、ピストンガイド４３の底部４３Ａは、中筒部６４の直筒部６７内に進入し、縦リブ部６７Ａに近接または摺動しながら下降する。
【００３３】
ステム１２及びピストンガイド４３をピストン４１に対して下方に移動させると、ピストン４１の閉塞部５２の下端は、ピストンガイド４３の当接部４３Ｅから離間する。これにより、閉塞部５２の下端部とピストンガイド４３の外周面との間には、間隙が形成され、この間隙を通して、連通孔４３Ｂは、シリンダ４２の上筒部６３内に対して開放される。なお、連通孔４３Ｂがシリンダ４２の上筒部６３内に対して開放されるまで、上筒部６３の内圧は、さらに上昇する。
【００３４】
これにより、上筒部６３内の空気は、閉塞部５２の内周面とピストンガイド４３の外周面との間の間隙及び連通孔４３Ｂを通ってピストンガイド４３内に流入する。また、上筒部６３内の空気は、閉塞部５２の内周面とピストンガイド４３の外周面との間の間隙、ステム１２の下側部分及び移行部分１２Ａの内周面とピストンガイド４３の外周面との間の間隙、並びに貫通孔４３Ｃを通ってピストンガイド４３内に流入する。
そして、ピストンガイド４３内に流入した空気は、ステム１２の上側部分内を流動してノズル筒部３２に至り、ノズル筒部３２の吐出孔１３Ａから外部に排出される。
【００３５】
続いて、トリガー１６を引いた指などを外すと、コイルバネ７５による付勢により、吐出ヘッド１３、ステム１２及びピストンガイド４３が上昇する。これにより、シリンダ４２の上筒部６３内が減圧され、弁体４４が浮上して中筒部６４の下部が開放され、容器本体２内の内容物は、チューブ６９を通って中筒部６４内に流入し、縦リブ部６７Ａ間と弁体４４及び規制突部６８Ａの間とを通って上筒部６３内に流入する。また、吐出ヘッド１３が上昇することにより、被押下突部３３が押下部８５を上方に押圧し、トリガー１６は、前方側へ移動し、図１に示す元の位置に戻る。
これを繰り返すことにより、シリンダ４２の上筒部６３内、ステム１２内及びピストンガイド４３内に内容物を充填させる。
【００３６】
実際に吐出孔１３Ａから内容物を吐出させる場合には、上述と同様に、ストッパ８６を取り外してトリガー１６を後方に牽引し、ステム１２を押し下げる。連通孔４３Ｂがシリンダ４２の上筒部６３内に対して開放されると、上述と同様に、上筒部６３内の内容物は、連通孔４３Ｂを通る経路と貫通孔４３Ｃを通る経路とを介して、ピストンガイド４３内に流入する。そして、ピストンガイド４３内に流入した内容物は、ステム１２の上側部分内を流動してノズル筒部３２に至り、ノズル筒部３２の吐出孔１３Ａから吐出される。
【００３７】
以上のような構成の吐出器１によれば、吐出器１を初めて使用する際に、ピストンガイド４３の下端部に形成されている一対の連通孔４３Ｂを通して、ピストンガイド４３内の空気を吐出孔１３Ａから外部へ効率的に排出できる。同様に、ピストンガイド４３の上端部に形成されている一対の貫通孔４３Ｃを通して、ピストンガイド４３の外周面とピストン４１の閉塞部５２の内周面との間の間隙内の空気を効率的に吐出孔１３Ａから外部へ効率的に排出できる。これにより、ピストンガイド４３内及び上記間隙内に空気溜りが生じることを抑制でき、また、内容物の吐出量のばらつきを抑制できると共に、吐出後に発生する吐出孔１３Ａからの内容物の液垂れなどを抑制できる。したがって、内容物の吐出を安定させることができる。
さらに、ピストンガイド４３を射出成形によって形成する場合には、ピストンガイド４３の内周面を形成する金型の中子の下側を一対の連通孔４３Ｂを形成する一対の第１ピンによって径方向で挟み込み、上記中子の上側を一対の貫通孔４３Ｃを形成する一対の第２ピンによって径方向で挟み込んだ状態で、上記中子をピストンガイド４３から引き抜くことができる。したがって、上記中子をピストンガイド４３に対してぐらつかせずに引き抜くことができ、ピストンガイド４３の変形を抑制してピストンガイド４３を精度よく形成できる。
【００３８】
なお、本発明は上記実施形態に限定されるものではなく、本発明の趣旨を逸脱しない範囲において種々の変更を加えることができる。
例えば、一対の連通孔及び一対の貫通孔は、周方向で同じ位置に形成されているが、これに限られない。例えば図６に示すように、ピストンガイド１０１に形成されている連通孔１０１Ａ及び貫通孔１０１Ｂ、１０１Ｃは、側面視で上下方向に沿って図６に示す前後交互に、千鳥状に配置されてもよい。すなわち、上下方向でずらして形成された一対の貫通孔１０１Ｂ、１０１Ｃのうち、上方に位置する一方の貫通孔１０１Ｂは、周方向で連通孔１０１Ａと同じ位置に形成されており、他方の貫通孔１０１Ｃは、連通孔１０１Ａ及び貫通孔１０１Ｂに対して中心軸Ｏを挟む径方向の反対側に形成されている。
このように連通孔１０１Ａ及び貫通孔１０１Ｂ、１０１Ｃを配置しても、上述と同様に、ピストンガイド１０１を射出成形によって形成する場合には、ピストンガイド１０１の内周面を形成する金型の中子の下側を連通孔１０１Ａを形成する第１ピンによって径方向で支え、上記中子の上側を貫通孔１０１Ｃを形成する第２ピンによって径方向で支え、上記中子の上下方向中間部分を貫通孔１０１Ｂを形成する第３ピンによって径方向で支え、さらに第１ピンと第３ピンとが成形されるピストンガイド１０１を上下方向で挟み込んだ状態で、上記中子をピストンガイド１０１から引き抜くことができる。したがって、上記中子をピストンガイド１０１に対してぐらつかせずに引き抜くことができ、ピストンガイド１０１の変形を抑制してピストンガイド１０１を精度よく形成できる。
【００３９】
また、ピストンガイドには、一対の連通孔が形成されているが、少なくとも１つ形成されていればよい。さらに、ピストンガイドには、一対の貫通孔が形成されているが、貫通孔が形成されていなくてもよい。
連通孔及び貫通孔の形状は、側面視で円形に限らず、上下方向に長い長円形など、他の形状であってもよい。
ピストンガイドは、ステムに取り付けられているが、ステムと一体として上下移動すれば、取り付けられていなくてもよい。また、吐出ヘッドは、ステムと一体的に形成されてもよい。
弾性部材は、ステムと一体的に形成されていなくてもよく、ピストンと一体的に形成されてもよく、ステム及びピストンとは別体として形成されてもよい。また、弾性部材は、上下方向の長さが短くなるように変形できれば、例えば上下方向で蛇腹状に収縮変形する形状など、他の形状であってもよい。さらに、弾性部材が設けられていなくてもよい。
吐出器は、吐出孔から内容物を噴霧させているが、噴霧以外の別の態様で内容物を吐出させてもよい。
トリガーによって吐出ヘッドを押し下げることによってステムを下降させているが、トリガーによって直接ステムを下降させてもよい。また、トリガーを作動させることによってステムを下方移動させているが、ステムを下方移動させることができれば、トリガーが設けられていなくてもよい。
【産業上の利用可能性】
【００４０】
この発明によれば、内容物の吐出を安定させた吐出器に関して、産業上の利用可能性が認められる。
【符号の説明】
【００４１】
１  吐出器、２  容器本体、１２  ステム、１３  吐出ヘッド、１３Ａ  吐出孔、４１  ピストン、４２  シリンダ、４３，１０１  ピストンガイド、４３Ｂ，１０１Ａ  連通孔、４３Ｃ，１０１Ｂ，１０１Ｃ  貫通孔
【図１】
0006499935.tif 000002
【図２】
0006499935.tif 000003
【図３】
0006499935.tif 000004
【図４】
0006499935.tif 000005
【図５】
0006499935.tif 000006
【図６】
0006499935.tif 000007